(57)【要約】【課題】  従来の画像形成装置は感光ドラムを中心とし、転写部材が接する部分以外は帯電ローラ〈又はコロナ帯電器〉、ＬＥＤ露光装置〈レーザーＲＯＳでもよい〉取り付け部、現像装置、クリーニング装置から成り、消耗品である感光ドラムを交換する為にはほとんどメーカーが行う通称リサイクル方式であり、極めて高価である。【解決手段】感光ドラム軸を支えている両端を転写紙又は中間転写ローラ側の下げる事により容易に感光ドラムを交換出来る様にした。これによりユーザーが簡単に行うこともできる。【選択図】図２
2009104092.tif 000002
【特許請求の範囲】
【請求項１】
単体感光ドラム上に、光導電層を特定極性に均一に帯電するために帯電ローラ〈コロナ帯電器でも良い〉、帯電された光導電性層にデジタル露光を行いデジタル情報に従った静電像を形成するためのＬＥＤ露光装置〈レーザーＲＯＳでもよい〉取り付け部及び静電層に熱溶融性の色トナー粉末を付着させて単色画像を形成するための現像装置と転写材又はドラム上の中間転写体に色画像を転写した後次のトナー像形成のために光導電性層上に残留するトナー像を除去するためのクリーニング装置を配置した単色トナー像形成ユニットに於いて容易に感光ドラムを交換出来るようにしたことを特徴とする画像形成装置。
【請求項２】
前記画像形成装置に於いて、感光ドラム軸を支えている両端をネジ留め、またはロックアームをゆるめ転写紙又は中間転写ローラ側に押し下げる事により容易に感光ドラムを交換出来るようにしたことを特徴とする画像形成装置。
【請求項３】
前記画像形成装置に於いて、感光ドラム軸を支えるいずれか片方、もしくは両側を開放し感光ドラムを取り出せる事が容易である事を特徴とする画像形成装置。
【請求項４】
前記画像形成装置に於いて、片側のみ駆動ギア付きの感光ドラムを駆動ギア側より容易に取り出せる事を特徴とする画像形成装置。
【発明の詳細な説明】
【技術分野】
【０００１】  本発明は電子写真方式に適用した複写機、プリンター、ファクシミリ等の画像形成装置に関する。
【背景技術】
【０００２】  従来、電子写真方式に適用した、特に小型複写機、プリンター、ファクシミリ等に使用された画像形成装置は、感光ドラムを中心に機能上、転写部材が接する部分以外は帯電ローラ〈又はコロナ帯電器〉、ＬＥＤ露光装置〈又はレーザーＲＯＳ〉取り付け部及びクリーニング装置から成り極めて小型化されている。【０００３】  市場に於いては、画像形成装置は消耗品として販売され、その消耗品はリサイクルされ各メーカーはこれらを分解し再利用される。【０００４】  以下、図１，により従来の画像形成装置について説明する。図１において、１，は感光ドラム軸で感光ドラム２を両側板４により支えられている。感光ドラムを取りだすには片側の側板を外し取りだす。【０００５】
【特許文献１】特開平７−７２７７７号公報
【特許文献２】特開平９−４３９１２号公報
【特許文献３】特開平１１−１７４７４４号公報
【特許文献４】特開平１１−１７４８７９号公報
【特許文献５】特開平１１−３２７２１８号公報
【特許文献６】特開平１１−３２７２１９号公報
【特許文献７】特開平１１−３２７２２０号公報
【特許文献８】特開２００２−３０３５４９号公報
【特許文献９】特願２００４−３０３５４９号公報
【特許文献１０】特願２００５−２６９０８５号公報
【特許文献１１】特願２００７−２４８１５号公報
【発明の開示】
【発明が開示しようとする課題】
【０００６】以上述べた従来の画像形成装置には、それぞれ以下のような問題点がある。
【０００７】  感光ドラムを中心とし小型化された画像形成装置は転写部材又は中間転写ローラ等が接する部分以外は帯電ローラ〈又はコロナ帯電器〉、ＬＥＤ露光装置〈レザーＲＯＳでも良い〉取り付け部、現像装置、クリーニング装置から成り、この内、特にライフの少ないのが感光ドラムであり、これをこの画像形成装置から取り出し交換するには容易には出来ない。
【０００８】  また、感光ドラム以外の帯電ローラ〈又はコロナ帯電器〉、現像装置、クリーニング装置ほとんど消耗していないにも拘わらず、交換あるいは確認して再利用する。
【０００９】  本発明はこのような従来の構成が有した問題を解決しようとするものであり、画像形成装置から容易に感光ドラムを交換することを目的とするものである。
【課題を解決するための手段】
【００１０】  そして、本発明は上記目的を達成するために画像形成装置の感光ドラム周囲で比較的に広い部分である、転写部材又は中間転写ローラ等が接する部分より取り出す事を可能にした。
【００１１】  また、感光ドラムに軸を支えている両端をネジ留め、又はロックアームをゆるめ、転写紙又は中間転写ローラ側に押し下げる事により容易に交換する事を可能にした。特に小型画像形成装置はネジ等を使用せず瞬間にこれを可能にする事も出来る。
【００１２】  本発明は上記記載以外に感光ドラム軸を支えている側板の側より交換可能にした。片側ギア付き感光ドラムの場合、この感光ドラムを支えている側板のギア側の側板サイドから感光ドラムを交換する。この場合の挿入部はこのギアの刃先径より幾分大きな穴を開け、この穴より感光ドラムを抜き出す。また新しい感光ドラムを交換する場合、予め滑りよい保護祇等で覆われた感光ドラムを此の穴より挿入し、その後此の穴に嵌合する蓋で軸を支え固定し、保護祇は転写部材又は中間転写ローラ等が接する部分より取り外す。
両側ギア付き感光ドラムの場合、この場合一般的に感光ドラムの外径に対し片方は刃先径が幾分大きく、他の片方は小さい。この様な場合は前記同様径の大きい側より取り出し交換する。感光ドラム軸は取り出し側と対面の側板に固定してある為、ガイドとなり出し入りが容易である。
【００１３】  また、画像形成装置の大きさ及びそれに伴う精度等を考慮し、両サイドより交換可能にする事により多種の画像形成装置に適応を可能にした。
【発明の効果】
【００１４】  上述したように本発明の画像形成装置は小型機から大判機まで幅広く可能であり、機械の消耗品等の価格に大いに関係し又メンテナンス費用が安価になる。
【発明を実施するための最良の形態】
【００１５】以下、本発明の実施の形態を図１〜図８に基づいて説明する。【００１６】  図１は従来の画像形成装置について説明する。両サイドの側板４で感光ドラム２はドラム軸２を介し支えられている。帯電ローラ８、ＬＥＤ露光装置６の取り付け部両側板４の一部、現像装置７，クリーニング装置９も同様である。【００１７】  図２はドラム軸の両サイドをロックアーム２６で固定した本発明の目的である感光ドラムを画像形成装置に取り付けた状態を示す。【００１８】  図３は底部フラッパー２７を開き、ロックアーム２６で固定されたドラム軸１の両サイドを解除する事により本発明の目的である感光ドラムを画像形成装置から容易に取り出す事を可能にした。【００１９】  図４は感光ドラムを支えている側板３０ａへ、軸支えＡ２８、を介しドラム軸を取り付ける事により交換を可能にした。これに使用するギアは設計上刃先径がドラムの直径より幾分大きく従って軸支え２８と側板３０ａの嵌合径はこのギアの刃先径より幾分大きい。又一般的に片側ギア付き感光ドラムは両側ギア付き感光ドラムより多く市場にある。又両側ギア付きドラムの場合、感光ドラム外径に対し片側ギアの刃先径は感光ドラム外径より幾分大きく、他は感光ドラム外径より幾分小さい。この場合も前記同様感光ドラム外径より幾分多きギア側から交換する事を可能にした。【００２０】  図５は画像形成装置の大きさ及びそれに伴う精度等を考慮し、両サイドに軸支えＡ２８及び軸支えＢ２９によりより多種の画像形成装置に適応を可能にした。この場合図５に示す様に軸支えＡ、軸支えＢ３０を側板ａ３０、側板ｂ３１より取り外し、側板ａ３０側より、あらかじめ感光ドラム２にドラム軸ａ３２取り付けた状態で交換する。この場合も前記同様大きいギア側より挿入し、軸支えＡ２８及び軸支えＢ２９によりドラム軸ａ３２を固定する。
【産業上の利用可能性】
【００２１】  上述したように本発明の画像形成装置は、画像形成装置の心臓部である感光ドラムを容易に交換が出来るため、フルカラー等のプリンターにも利用され、単体の画像形成装置が安価となるため、当然一枚当たりのコピー単価が安くなる事になる。又本発明は小型機から大判機まで、単色機からフルカラー機まで幅広く利用できる。
【図面の簡単な説明】
【００２２】
【図１】  図１は従来の画像形成装置を示す。
【図２】  本発明の実施形態を示す画像形成装置其の１
【図３】  同画像形成装置其の２
【図４】  同画像形成装置其の３
【図５】  同画像形成装置其の４
【符号の説明】
【００２３】１      ドラム軸                          １９    固定金具
２      感光ドラム                        ２０    スプリング
３      支点軸                            ２１    駆動モータ
４      側板Ａ                            ２２    定着ローラＡ
５      側板Ｂ                            ２３    定着ローラＢ
６      ＬＥＤ露光装置                    ２４    排紙ローラＡ
７      現像装置                          ２５    排紙ローラＢ
７−１  現像ローラ                        ２６    ロックアーム
７−２  現像ローラブレード                ２７    底部フラッパー
７−３  トナー供給ローラ                  ２８    ドラム軸支えＡ
７−４  トナー攪拌ローラ                  ２９    ドラム軸支えＢ
７−５  トナーカートリッチ                ３０    マグネット
８      帯電ローラ
９      クリーニング装置
９−１  クリーナーブレード
９−２  ウェストトナー送り軸
９−３  トナー防止ブレード
１０    イレーサーランプ
Ａ      画像形成装置〈赤色〉
Ｂ      画像形成装置〈黒色〉
Ｃ      ストッパー
Ｄ      固定ネジ
Ｅ      固定ネジ
Ｆ      Ｕ溝
Ｇ      Ｕ溝
１１    転写紙
１２    転写祇送りローラＡ
１３    転写紙送りローラＢ
１４    転写紙送りローラＣ
１５    転写紙押さえローラ
１６    搬送ベルトローラＡ
１７    搬送ベルトローラＢ
１８    圧力ローラ
【図１】
2009104092.tif 000003
【図２】
2009104092.tif 000004
【図３】
2009104092.tif 000005
【図４】
2009104092.tif 000006
【図５】
2009104092.tif 000007